(57)【要約】  装飾として楽しませてくれる形状を有する取外し可能なゴルフバッグカバー。ゴルフバッグカバーは、従来のゴルフバッグを囲むように構成された細長い本体と、細長い本体から延在して、ゴルフバッグの対応する１対のいっぱいに広げられた折畳式脚部を囲む１対のスリーブとを含む。中空の頭部は、伸びるように構成された可撓性材料片によって、細長い本体に軸回転可能に結合されている。中空の頭部は、ゴルフバッグに入れて運ぶゴルフクラブを保護する閉位置とゴルフクラブへのアクセスを可能にする開位置との間で回転可能である。少なくとも１つのゴルフクラブは、中空の頭部を細長い本体に対して概ね垂直に立った位置に保持する。ゴルフクラブおよびゴルフバッグの折畳式脚部は、カバーを概ね直立の位置に保持して、座っている動物の外観に似せる。
2011519287.tif 000002
【特許請求の範囲】
【請求項１】
ゴルフクラブ（３）を入れて運ぶゴルフバッグ（１）を備え、前記ゴルフバッグは、開いた最上部と、閉じた底部と、いっぱいに広げられた位置まで移動可能であって、前記ゴルフバッグを概ね直立の状態に保持するスタンドを作り出す１対の折畳可能な脚部（１２）とを有し、さらに
前記ゴルフバッグを囲む本体（２２）と、前記本体から延在する１対の中空の脚部（２８）とを含むゴルフバッグカバー（２０）を備え、前記ゴルフバッグ（１）からの１対の折畳可能な脚部（１２）がそれぞれ前記ゴルフバッグカバーの１対の脚部のうち１つの内部に収容され、囲まれることによって、前記ゴルフバッグ（１）および前記ゴルフバッグの前記１対の脚部（１２）は、前記ゴルフバッグカバー（２０）を前記概ね直立の状態に保持する、組合せ。
【請求項２】
前記ゴルフバッグカバー（２０）は、前記ゴルフバッグ（１）の上に位置決めされて前記ゴルフバッグの開いた最上部を閉じ、かつ前記ゴルフバッグから離れるように移動可能であって前記最上部を開くことができるようにする頭部（２４）も含む、請求項１に記載の組合せ。
【請求項３】
前記ゴルフバッグカバー（２０）の頭部（２４）は、前記ゴルフバッグカバーの本体（２２）に軸回転可能に取付けられており、前記頭部は、前記本体に対して、前記ゴルフバッグ（１）の開いた最上部の上の閉位置と、前記ゴルフバッグの開いた最上部から離れた開位置との間で回転可能である、請求項２に記載の組合せ。
【請求項４】
前記ゴルフバッグカバー（２０）の頭部（２４）を前記ゴルフバッグカバーの本体（２２）に軸回転可能に取付ける弾性材料（２６）をさらに備え、前記弾性材料は、頭部を前記本体に対して移動させるように前記頭部に力がかけられると、伸びるように構成されている、請求項３に記載の組合せ。
【請求項５】
前記ゴルフバッグ（１）によって運ばれ、前記ゴルフバッグの開いた最上部から外方に延在する少なくとも１つのゴルフクラブ（３）をさらに備え、前記ゴルフクラブは、前記ゴルフバッグカバー（２０）の頭部（２４）と係合し、前記頭部を前記カバーの本体（２２）に対して概ね垂直に立った状態にかつ前記カバーの本体と軸方向に位置合せされた状態に保持する、請求項４に記載の組合せ。
【請求項６】
前記ゴルフバッグカバー（２０）の頭部（２４）は、中空であり、前記少なくとも１つのゴルフクラブ（３）は、前記中空の頭部によって内側に収容され、包まれることによって、前記中空の頭部を前記概ね垂直に立った状態に保持する、請求項５に記載の組合せ。
【請求項７】
前記ゴルフバッグ（１）を囲んでいる前記ゴルフバッグカバー（２０）は、前記少なくとも１つのゴルフクラブ（３）が前記中空の頭部（２４）の内側に収容され、前記ゴルフバッグ（１）の１対の折畳可能な脚部（１２）が前記ゴルフバッグカバーの１対の中空の脚部（２８）内に収容されているとき、座った動物の形状を有する、請求項６に記載の組合せ。
【請求項８】
前記ゴルフバッグカバー（２０）の本体（２２）に位置する少なくとも１つのファスナー締結具（３８）をさらに備え、前記ファスナー締結具は、前記ゴルフバッグを前記本体の内側に置くまたは前記本体から取り出すことができるようにするために開かれる、請求項１に記載の組合せ。
【請求項９】
前記ゴルフバッグ（１）および前記ゴルフバッグを囲む前記ゴルフバッグカバー（２０）を運搬するためにゴルファーによって装着される肩ハーネス（５）と、前記ゴルフバッグカバーの本体（２２）に形成された開口部（４０）とをさらに備え、前記開口部を通して、前記肩ハーネスは前記ゴルフバッグに取付けられる、請求項１に記載の組合せ。
【請求項１０】
１対の折畳可能な脚部（１２）は、前記スタンドを畳むために、前記１対の折畳可能な脚部が前記いっぱいに広げられた位置から離れるように回転可能であるように、蝶番（１３）によって軸回転可能に前記ゴルフバッグ（１）に結合されており、前記折畳可能な脚部が内部に収容される前記ゴルフバッグカバー（２０）の１対の中空の脚部（２８）は、前記折畳可能な脚部と共に回転することができるように、可撓性材料から製造されている、請求項１に記載の組合せ。
【発明の詳細な説明】
【技術分野】
【０００１】
発明の背景
１．技術分野
この発明は、従来のゴルフバッグを、プレイ中のバッグの通常の使用に影響を与えることなしにまたはバッグに入れて運ばれる自分のクラブへのゴルファーのアクセスを妨げることなしに囲み、装飾として楽しませてくれる、取外し可能なゴルフバッグカバー（たとえば犬または他の動物の外観を有する）に関する。
【背景技術】
【０００２】
２．背景技術
ゴルフバッグは、ゴルフクラブおよび他のゴルフ関連の付属品をゴルフのラウンド中に運ぶために、長い間ゴルファーによって用いられている。従来のゴルフバッグの大多数は、開いた最上部を有する中空の円筒形本体を含み、ホールからホールへと運搬されるゴルフクラブをこの開いた最上部を通して収容する。従来のゴルフバッグは、通常、広げられてバッグを概ね直立に保持するためのスタンドを確立し、ゴルファーがバッグを持ち上げるために屈む必要がないようにしてもよい回転可能な前後の折畳式脚部を含む。
【０００３】
殆どのゴルフバッグは見た目が似ており、多くの場合、あるゴルファーのバッグを別のものと区別することは難しい。他の場合、万が一従来のゴルフバッグが雨の中屋外に置き去りにされると、ゴルフバッグの円筒形本体に水が溜まり始めるかもしれない。したがって、所望されるであろうものは、ゴルファーが自分のバッグを他のゴルファーのゴルフバッグから個別化し区別することを可能にするための、ゴルフバッグを囲み、ゴルフバッグに入れて運ぶゴルフクラブを包む、装飾として楽しませてくれる、取外し可能なゴルフバッグカバーである。
【発明の概要】
【発明が解決しようとする課題】
【０００４】
発明の概要
大まかに言うと、ゴルフクラブ一式を運ぶために一般的に用いられる種類の従来のゴルフバッグを囲む、装飾として楽しませてくれるゴルフバッグカバーが開示される。例えば、ゴルフバッグカバーの外観は、犬の外観に似ている。ゴルフバッグカバーは、ゴルフバッグを包む大きさに作られた細長い本体を含む。１対の中空の前脚部がゴルフバッグカバーの本体の最上部から延在し、１対の後足部がカバーの底部から延在する。カバーがゴルフバッグを囲むと、ゴルフバッグに蝶番式に接続された１対の折畳式前脚部は、それぞれ、ゴルフバッグカバーの本体から延在する中空の前脚部の１つの内部に収容される。ゴルフバッグカバーの脚部の内部に位置し、囲まれた、ゴルフバッグのいっぱいに広げられた前脚部は、カバーを概ね直立の位置に保持するためのスタンドを形成して、座っている犬の外観に似せる。
【０００５】
ゴルフバッグカバーは、一片の弾性材料によってカバーの細長い本体の最上部に軸回転可能に接続された軟らかい（たとえば毛長ビロード）中空の頭部を含み、この弾性材料は、頭部にかかった引張力または押す力に応じて伸びることができる。中空の頭部は、弾性材料片のところで、ゴルフバッグの開いた最上部に乗った、バッグに入れて運ぶゴルフクラブを包み保護する閉位置と、ゴルフバッグから外された、バッグに入れて運ぶクラブにアクセスできるようにする開位置との間で回転可能である。ゴルフバッグの中にあるクラブは、ゴルフバッグカバーの軟らかい中空の頭部と協働して、頭部を概ね垂直に立った状態に保持することによって、頭部がゴルフバッグの開いた最上部の上および周りでつぶれないようにする。
【０００６】
主ファスナー締結具は、ゴルフバッグカバーの細長い本体の前面に沿って長手方向に延びている。主ファスナー締結具は、ゴルフバッグをゴルフバッグカバーから取外すまたはゴルフバッグをゴルフバッグカバー内に置くことが望ましいときに開かれる。副ファスナー締結具は、ゴルフバッグカバー上に含まれていて、カバーを通ってゴルフバッグのポケットおよび収納仕切りにアクセスできるようにする。ゴルフバックカバーの背面に開口部が主ファスナー締結具と対向して形成されていて、開口部を通してバックルを収容し、これによって標準的な肩ハーネスをゴルフバッグカバーの下にあるゴルフバッグに結合することができる。
【図面の簡単な説明】
【０００７】
【図１】装飾として楽しませてくれる形状（たとえば座っている犬の形状）を有し、従来のゴルフバッグを囲んでいるこの発明の好ましい実施例に従ったゴルフバッグカバーを示す斜視図である。
【図２】図１に示されたゴルフバッグカバーの側面図である。
【図３】この発明のゴルフバッグカバーによってゴルフバッグが囲まれる態様を説明する図である。
【図４】カバーの本体に軸回転可能に結合され、閉位置と開位置との間で本体に対して回転可能なゴルフバッグカバーの頭部を示す図である。
【発明を実施するための形態】
【０００８】
好ましい実施例の説明
図１から図４の図面を同時に参照して、この発明の好ましい実施例に従った装飾的ゴルフバッグカバー２０によって囲まれたゴルフバッグ１が示されている。ゴルフバッグ１は、従来のものであり、ゴルフショップ、スポーツ用品店などから市販されている。よって、ゴルフバッグ１は、典型的に、ゴルファーがさまざまなゴルフクラブ３（図３に最もよく示されている）を運ぶことができるようにするために用いられる。通例として、ゴルフバッグ１は、典型的に、持ち運びハンドル４と、ゴルファーがバッグを背負って運搬しやすくするために用いられる肩ハーネス５とを有する。ゴルフバッグ１については、ハーネス５は、背当て７と、１対の肩紐９と、１組の結び紐１０と、取外し可能にハーネス５をバッグ１に接続するバックル１１とを含む。しかしながら、ゴルフバッグ１およびそこに取付けられたハーネス５の特定的な詳細は、この改良の如何なる部分も形成しないことが理解されるべきである。
【０００９】
図１および図３に最もよく示されるように、ゴルフバッグ１は、使用中でないときまたはゴルファーがプレイしている間バッグが概ね直立することを可能にする複数の標準的な折畳式脚部を有する。一対の前脚部１２は、蝶番１３によって軸回転可能にバッグ１の最上部近くに接続されている。単一の後脚部または支え１５は、蝶番１６によってバッグ１の底部近くに軸回転可能に接続されている。筋交い１８は、各前脚部１２と後脚部１５との間に接続されている。脚部１２および１５は、それぞれの蝶番１３および１６のところで、バッグ１を直立させるのが望ましいときのいっぱいに広げられた位置（図示されている）と、ゴルフコースから離れてバッグを収納するまたは運搬することが望ましいときの折畳まれた位置（図示せず）との間で回転可能である。
【００１０】
好ましい実施例に従って、既存のゴルフバッグ１を囲むゴルフバッグカバー２０は、装飾として楽しませてくれる犬の形状を有する。しかしながら、この特定の形状は、この発明を限定するものとみなされるべきでなく、他の動物などを含めて、異なる形状も表現されてもよい。ゴルフバッグカバー２０の大きさは、カバー２０を用いて囲むゴルフバッグが子供のものかまたは大人のものかによってさまざまであるだろう。
【００１１】
ゴルフバッグカバー２０は、ゴルフバッグ１をその内部に収容する寸法に作られた細長い本体２２を含む。本体２２の一方の端部（すなわち最上部）には、中空の頭部２４が位置している。この例において、頭部は、犬の頭に似せた形状である。図４に最もよく示されるように、カバー２０の頭部２４は、頭部２４にかかった引張力または押す力に応じて伸びることができる弾性材料片２６によって、本体２２に軸回転可能に接続されている。よって、ゴルフバッグカバー２０の頭部２４は、弾性材料片２６のところで、ゴルフバッグ１の最上部の上に乗った閉位置（図４に２４−１として示される想像線で示されている）およびゴルフバッグ１から離れた開位置から回転させることができる。
【００１２】
中空の頭部２４がゴルフクラブ１の最上部に乗った閉位置まで回転された状態では、ゴルフバッグの中に置かれゴルフバッグから上向きに延在するゴルフクラブ３は、囲まれ、風雨から保護されるであろう。中空の頭部２４がゴルフバッグ１から離れた開位置まで回転されると、ゴルファーは、バッグ１に入れて運ばれるゴルフクラブ３を取り出す、戻す、または置き換えることができるであろう。そのために、材料２６の弾性は、頭部２４がカバー２０の本体２２に対して上方にかつクラブ３から離れて引張られることを可能にして、頭部２４の前述の閉位置と開位置との間での回転を容易にする。
【００１３】
場合によっては、ゴルフバッグカバー２０の細長い本体２２および中空の頭部２４は、その形状を独立して維持することができない軟らかいまたは毛長ビロードの材料から製造されてもよい。すなわち、万が一ゴルフバッグ１にゴルフクラブが置かれていない場合は、カバー２０の頭部２４は、ゴルフバッグ１の最上部の上または周りで単につぶれてしまうであろう。この問題を克服するために、かつこの発明の重要な特徴として、カバー２０の頭部２４は、ゴルフバッグ１に入れて運ばれこのバッグから上向きに延在する少なくとも１つのゴルフクラブを頭部内に収容し、このゴルフクラブの上に横たわるような寸法に作られている。より具体的には、ゴルフバッグ１の中の１つ以上のゴルフクラブ３は、図４の閉位置にある中空の頭部２４−１と協働して、頭部２４−１の形状を保つことによって、頭部２４−１をゴルフバッグ１の上にかつカバー２０の細長い本体２２に対して直立の垂直に立った位置合せに保持することにより、ゴルフバッグカバー２０の全体的な美的外観を高める。
【００１４】
ゴルフバッグカバー２０の細長い本体２２は、カバー２０から頭部２４の下で突出している１対の中空の延長部または前脚部２８を含む。比較的幅の広い足部３０は、各脚部２８の最も外側の端部に位置する。図３に最もよく示されるように、本体２２の脚部２８および足部３０は、その内部にそれぞれゴルフバッグ１のいっぱいに広げられた折畳式前脚部１２のうちの１つを収容する寸法に作られている。ゴルフバッグ１の前脚部１２は、ゴルフバッグカバー２０の形状を維持し、ゴルフバッグカバー２０を直立の位置にゴルフバッグ１の周りで保持する支えを提供する。
【００１５】
ゴルフバッグカバー２０の細長い本体２２は、本体２２の底部近くに位置する１対のパッドまたは後脚部３２も含む。この場合、後脚部３２は、装飾のみを目的として含まれている。
【００１６】
ゴルフバッグ１の各前脚部１２および後脚部１５間にある筋交い１８（筋交いのうち１つのみが図示されている）は、ゴルフバッグカバー２０の細長い本体２２の内側に収容されている。したがって、既存の前後の脚部１２および１５と、その間に延在する各筋交い１８と、従来のゴルフバッグ１の残りの部分とは、すべてこの発明の装飾として楽しませてくれるゴルフバッグカバー２０によって囲まれて、（この例においては）座っている犬の外観を呈することが理解されるかもしれない。
【００１７】
任意の数の外部ポケット３４（図３に最もよく示されている）がゴルフバッグカバー２０の本体２２に取付けられて（たとえば縫い付けられて）、ゴルファーがゴルフの試合をプレイするのに必要な品物（たとえばボール、ティーなど）を収納し、運ぶことを可能にしてもよい。この前述の点について、本体２２は、従来のゴルフバッグ１の一部でありゴルフバッグカバー２０の内側にある内部ポケットおよび類似の収納仕切りにゴルファーがアクセスすることを可能にするために開けられてもよい一組の短い副ファスナー締結具３６を含む。
【００１８】
比較的長い主ファスナー締結具３８（図１および図２に最もよく示されている）は、ゴルフバッグカバー２０の本体２２の前面に沿って長手方向に延びている。ファスナー締結具３８は、ゴルファーが素早く簡単に操作することができるため、好ましい。しかしながら、他の適切な締結具（たとえば、面ファスナー片、ボタン、留め金など）もファスナー３８に代えて用いられてもよい。主ファスナー締結具３８は、ゴルフバッグ１をゴルフバッグカバー２０の中に置くまたはゴルフバッグカバーから取り出すことが望ましいときに開かれる。
【００１９】
図２に最もよく示されるように、開口部４０は、ゴルフバッグカバー２０の本体２２の背面に主ファスナー締結具３８と対向して作製される。開口部４０は、標準的な肩ハーネス５をカバー２０の内側のゴルフバッグ１に接続できるようにするバックル１１を開口部を通して収容するような大きさに作られている。よって、ゴルフバッグ１をこの発明のゴルフバッグカバー２０で囲むことは、ゴルファーのプレイ中のバッグの通常の使用に支障を来たさないことまたはバッグ１に入れて運ぶ自分のクラブ３へのアクセスを妨げないことが理解されるかも知れない。同時に、ゴルフバッグカバー２０の装飾的な特徴により、ゴルフバッグがカスタマイズされ、ゴルファーのゲームの楽しさが高まるであろう。オフシーズン中またはゴルファーの気分によっては、収納するまたはカバーなしで使用するためにバッグ１をゴルフバッグカバー２０から取り出すために、主ファスナー締結具３８を開けることができる。
【図１】
2011519287.tif 000003
【図２】
2011519287.tif 000004
【図３】
2011519287.tif 000005
【図４】
2011519287.tif 000006
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
ゴルフクラブを入れて運ぶゴルフバッグを備え、前記ゴルフバッグは、開いた最上部と、閉じた底部と、小さく折畳まれた位置からいっぱいに広げられ折畳まれていない位置まで回転可能であって前記ゴルフバッグを概ね直立の状態に保持するスタンドを作り出す１対の折畳式脚部とを有し、さらに
動物のような形状で動物の外観を有し、前記ゴルフバッグを囲み、前記ゴルフバッグの特徴を隠す本体を有するゴルフバッグカバーを備え、前記本体は、動物の脚のような形状で動物の脚の外観を有し前記ゴルフバッグの１対の折畳式脚部のうち１つをそれぞれ内部に収容し包む１対の中空の可撓性脚部を有し、前記本体の可撓性脚部は、ゴルフバッグの折畳式脚部が前記小さく折畳まれた位置と前記いっぱいに広げられ折畳まれていない位置との間で回転するにつれて、前記折畳式脚部とともに回転し、前記ゴルフバッグカバーは、動物の頭のような形状で動物の頭の外観を有し前記ゴルフバッグカバーの上に位置決めされて前記ゴルフバッグの開いた最上部を閉じる頭部も有し、前記頭部は、ゴルフバッグの開いた最上部の上にあり、ゴルフバックに入れて運ばれるゴルフクラブへのアクセスを防止する閉位置と、開いた最上部から外された、ゴルフクラブにアクセスできるようにする開位置との間で前記頭部が前記本体に対して回転可能であるように、前記ゴルフバッグカバーの本体に軸回転可能に取付けられている、組合せ。
【請求項２】
前記ゴルフバッグカバーは、前記ゴルフバッグカバーの頭部を前記ゴルフバッグカバーの本体に軸回転可能に取付け、前記頭部を前記本体から取外すことなく前記ゴルフバッグカバーの本体に対して回転可能にする弾性材料を含み、前記弾性材料は、前記頭部を前記閉位置から前記開位置まで回転させるように前記頭部に引張力がかけられると、伸びるように構成されている、請求項１に記載の組合せ。
【請求項３】
前記ゴルフバッグによって運ばれ、前記ゴルフバッグの開いた最上部から外方に延在する少なくとも１つのゴルフクラブをさらに備え、前記ゴルフバッグカバーの頭部は、その形状を維持することができない柔らかくて小さくすることができる毛長ビロード材料から製造されており、少なくとも１つのゴルフクラブは、前記ゴルフバッグカバーの頭部がつぶれないようにするために、および前記頭部を前記カバーの本体と軸方向に位置合せされているように前記カバーの本体に対して概ね垂直に立った状態に保持するために、前記頭部と係合する、請求項１に記載の組合せ。
【請求項４】
前記ゴルフバッグカバーの頭部は、中空であり、前記少なくとも１つのゴルフクラブは、前記中空の頭部によって内側に収容され包まれることによって、前記頭部がつぶれないようにし、前記頭部を前記概ね垂直に立った状態に保持する、請求項３に記載の組合せ。
【請求項５】
前記ゴルフバッグおよび前記ゴルフバッグを囲む前記ゴルフバッグカバーを運搬するためにゴルファーによって装着される肩ハーネスをさらに備え、前記ゴルフバッグカバーの本体は、前記ゴルフバッグカバーの本体を貫通して形成された開口部を有し、前記肩ハーネスは、前記開口部によって、前記ゴルフバッグカバーを貫通して前記ゴルフバッグに取付けられている、請求項１に記載の組合せ。
【請求項６】
前記ゴルフバッグカバーの本体に位置する少なくとも１つの締結具をさらに備え、前記締結具は、前記ゴルフバッグを前記本体の内側に置くまたは前記本体から取り出すことができるようにするために開かれる、請求項１に記載の組合せ。
【請求項７】
前記ゴルフバッグカバーの本体は、少なくとも１つの締結具を有し、前記１つの締結具は、その下にある前記ゴルフバッグの収納仕切りにアクセスできるようにするために開かれる、請求項１に記載の組合せ。
【国際調査報告】
2011519287.tif 000007